(57)【要約】【課題】  布団の除菌、乾燥等の処理を、顧客の自宅においても効果的に行うことができる布団等の除菌乾燥方法及び除菌乾燥装置を提供する。【解決手段】  布団の表裏の塵・埃を掃除機にて吸引する除去工程と、布団掛部に上記布団を係合し、カバー部材により上記布団全体を被覆し、上記カバー部材の吸気口に温風発生機の吸気管を接続する準備工程と、上記温風発生機から上記カバー部材内に温風を送り込み、上記カバー部材内において温風を対流させることにより上記布団を乾燥させる加熱工程と、上記カバー部材の小開口からカバー部材内に酸化チタン溶液を噴霧し、上記カバー部材内において対流する温風に沿って上記酸化チタン溶液を流通させ、上記カバー部材内に設置された近紫外線照射器具の紫外線を照射することにより上記布団の除菌消臭を行う除菌消臭工程と、上記カバー部材内から上記布団を取り出す取り出し工程と、から除菌乾燥方法を構成する。【選択図】  図１
2011250850.tif 000002
【特許請求の範囲】
【請求項１】
布団の表裏面の塵・埃を掃除機にて吸引する除去工程と、
布団掛部の水平杆に上記除去工程の終了した上記布団を係合し、柔軟性のあるカバー部材の開口部を開口し、該開口部からカバー部材内に上記布団掛部共々上記布団を収納した状態で上記開口部を閉鎖することにより上記カバー部材を以って上記布団全体を被覆し、かつ上記カバー部材の側面下方位置に設けられた吸気口に温風発生機の吸気管を接続する準備工程と、
上記温風発生機から上記吸気管を介して上記カバー部材内に温風を送り込み、上記カバー部材内において温風を対流させることにより、上記温風を上記布団の外面及び内面に沿って流通させて上記布団を乾燥させる加熱工程と、
上記加熱工程において、上記カバー部材に小開口を形成し、該小開口からカバー部材内に酸化チタン溶液を噴霧し、上記カバー部材内において対流する上記温風に沿って上記酸化チタン溶液を流通させることにより上記布団の外面及び内面に上記酸化チタン溶液を付着させ、上記布団に付着した酸化チタン溶液に上記カバー部材内に設置された近紫外線照射器具の紫外線を照射することにより上記布団の除菌・消臭を行う除菌消臭工程と、
上記除菌消臭工程の後、上記温風発生機を停止し、上記カバー部材内から上記布団を取り出す取り出し工程と、
から構成されることを特徴とする布団等の除菌乾燥方法。
【請求項２】
上記小開口は上記吸気口に隣接して形成し、当該小開口から上記カバー部材内に上記酸化チタン溶液を噴霧することを特徴とする請求項１記載の布団等の除菌乾燥方法。
【請求項３】
上記加熱工程を行う前に、上記カバー部材の内側に予め酸化チタン溶液の被膜を形成しておき、上記加熱工程において上記被膜に上記近紫外線照射器具の紫外線を照射することを特徴とする請求項１又は２記載の布団等の除菌乾燥方法。
【請求項４】
上記加熱工程を行う前に、上記布団掛部の表面に予め酸化チタン溶液の被膜を形成しておき、上記加熱工程において上記被膜に上記近紫外線照射器具の紫外線を照射することを特徴とする請求項１〜３の何れかに記載の布団等の除菌乾燥方法。
【請求項５】
上記加熱工程と上記除菌消臭工程を同時に行うことを特徴とする請求項１〜４の何れかに記載の布団等の除菌乾燥方法。
【請求項６】
被除菌乾燥物としての上記布団に代えて布団以外の寝具又は衣類としたことを特徴とする請求項１〜５の何れかに記載の布団等の除菌乾燥方法。
【請求項７】
基台上に、布団を係合することのできる水平杆を具備した布団掛部を固定し、
柔軟素材により構成された開口部を有するカバー部材を設け、上記開口部を開閉手段により開閉可能に構成し、上記カバー部材内に上記布団を係合した上記布団掛部を収納した状態で上記開口部を上記開閉手段によって閉鎖することにより、上記カバー部材によって上記布団全体を被覆し得るように構成し、
上記カバー部材内に近紫外線照射器具を設置し、
上記カバー部材の側面下方位置に吸気口を設けると共に、当該吸気口に装着可能な吸気管を有する温風発生機を設け、上記吸気口から上記カバー部材内に温風を送り込み上記カバー部材内において温風を対流させることにより、上記温風を上記布団の外面及び内面に沿って流通させて上記布団を乾燥し得るように構成し、
かつ上記開閉手段によって上記開口部を一部開いて小開口を形成し得るように構成し、
上記温風の送風中に上記小開口から上記カバー部材内に酸化チタン溶液を噴霧することにより、上記布団の外面及び内面に上記酸化チタン溶液を付着し得るように構成したものであることを特徴とする布団等の除菌乾燥装置。
【請求項８】
上記カバー部材の内面は酸化チタン溶液の被膜が形成されているものであることを特徴とする請求項７記載の布団等の除菌乾燥装置。
【請求項９】
上記布団掛部の表面に酸化チタン溶液の被膜が形成されているものであることを特徴とする請求項７又は８記載の布団等の除菌乾燥装置。
【請求項１０】
上記カバー部材に温風の排気口を設けたものであることを特徴とする請求項７〜９の何れかに記載の布団等の除菌乾燥装置。
【請求項１１】
被除菌乾燥物としての上記布団に代えて布団以外の寝具又は衣類であることを特徴とする請求項７〜１０の何れかに記載の布団等の除菌乾燥装置。
【発明の詳細な説明】
【技術分野】
【０００１】
本発明は布団、衣類等の除菌乾燥を効率的に行うことのできる布団等の除菌乾燥方法及びこれに用いられる除菌乾燥装置を提供することを目的とする。
【背景技術】
【０００２】
従来、布団を加熱乾燥する方法としては、布団を水平部材に掛けた状態で布団の内側に熱風発生機を設置し、カバー部材で覆った状態で、上記布団の内側中央部を加熱し、これにより害虫を布団表面側に移動させ、その後、上記布団を水平部材から取り外して床面に広げて、布団表面側に移動した害虫を掃除機等で吸引することにより、布団をクリーニングする方法が提案されている（特許文献１）。
【０００３】
また、布団等の乾燥機として、乾燥機内を循環する空気を脱臭するために空気ダクト経路途中に光触媒脱臭装置を設けたものが提案されている（特許文献２）。
【先行技術文献】
【特許文献】
【０００４】
【特許文献１】特開２００７−１３５７０３号
【特許文献２】特開２００５−３３４６１７号（明細書「００２０」欄）
【発明の概要】
【発明が解決しようとする課題】
【０００５】
ところで、特許文献１では、主にふとんの害虫を除去するものであるが、布団全体の除菌・脱臭という面においては、布団を加熱装置から取り外して床面に広げた状態での消臭剤、抗菌剤の噴霧に依拠するものであるため、除菌・消臭効果が今一つ低いという課題がある。
【０００６】
また、特許文献２の装置では、光触媒による脱臭機能を有するものであるが、乾燥用の空気の脱臭のみを目的としているので、布団等の被乾燥物自体の抗菌を目的とするものではない。
【０００７】
さらに、装置自体が据置設置を前提とした大型のものであるため、例えば布団、衣類等のクリーニングを依頼した依頼者宅にて使用することは困難であり、このような乾燥機を使用する場合は、店舗側に該乾燥機を設置した状態で、顧客の布団、衣類を一旦預かった上で乾燥処理を行う必要があった。
【０００８】
このため、布団等の乾燥と共に、被乾燥物の脱臭、抗菌等のコーティング処理までを、例えば顧客の自宅においても、簡単かつ効率的に行う方法及び装置が望まれている。
【０００９】
本発明は上記従来の課題に鑑みてなされたものであり、布団等の被除菌乾燥物の除菌、乾燥、脱臭等の処理を、例えば、顧客の自宅においても、効果的かつ効率的に行うことができる布団等の除菌乾燥方法及びこれに用いる除菌乾燥装置を提供することを目的とする。
【課題を解決するための手段】
【００１０】
上記の目的を達成するため本発明は、
第１に、布団の表裏面の塵・埃を掃除機にて吸引する除去工程と、布団掛部の水平杆に上記除去工程の終了した上記布団を係合し、柔軟性のあるカバー部材の開口部を開口し、該開口部からカバー部材内に上記布団掛部共々上記布団を収納した状態で上記開口部を閉鎖することにより上記カバー部材を以って上記布団全体を被覆し、かつ上記カバー部材の側面下方位置に設けられた吸気口に温風発生機の吸気管を接続する準備工程と、上記温風発生機から上記吸気管を介して上記カバー部材内に温風を送り込み、上記カバー部材内において温風を対流させることにより、上記温風を上記布団の外面及び内面に沿って流通させて上記布団を乾燥させる加熱工程と、上記加熱工程において、上記カバー部材に小開口を形成し、該小開口からカバー部材内に酸化チタン溶液を噴霧し、上記カバー部材内において対流する上記温風に沿って上記酸化チタン溶液を流通させることにより上記布団の外面及び内面に上記酸化チタン溶液を付着させ、上記布団に付着した酸化チタン溶液に上記カバー部材内に設置された近紫外線照射器具の紫外線を照射することにより上記布団の除菌・消臭を行う除菌消臭工程と、上記除菌消臭工程の後、上記温風発生機を停止し、上記カバー部材内から上記布団を取り出す取り出し工程と、から構成されることを特徴とする布団等の除菌乾燥方法からなるものである。
【００１１】
上記除菌乾燥方法によると、加熱工程において布団を乾燥することができ、除菌消臭工程においてカバー部材内に酸化チタン溶液を噴霧することにより布団に酸化チタンを付着させ、これにより酸化チタンの光触媒作用によって布団の除菌消臭を効果的に行うことができる。また、布団を酸化チタン溶液でコーティングすることができるため、除菌乾燥作業終了後も布団にコーティングされた光触媒により除菌消臭効果を持続することができる。尚、上記付着は、酸化チタン溶液が布団の表面及び表面より内側の繊維に付着することをいい、例えば上記溶液が繊維に絡み付き定着することをいう。また、この付着は、被乾燥物の表面に酸化チタン溶液の被膜が形成される場合を含む。
【００１２】
第２に、上記小開口は上記吸気口に隣接して形成し、当該小開口から上記カバー部材内に上記酸化チタン溶液を噴霧することを特徴とする上記第１記載の布団等の除菌乾燥方法からなるものである。
【００１３】
このような方法によると、酸化チタン溶液をカバー部材内の温風の送風方向に容易に乗せることができ、酸化チタン溶液をカバー部材内において効果的に対流させ、効果的に布団に酸化チタン溶液を付着させることができる。
【００１４】
第３に、上記加熱工程を行う前に、上記カバー部材の内側に予め酸化チタン溶液の被膜を形成しておき、上記加熱工程において上記被膜に上記近紫外線照射器具の紫外線を照射することを特徴とする上記第１又は２記載の布団等の除菌乾燥方法からなるものである。
【００１５】
上記加熱工程を行う前とは、例えば準備工程をいう。このように構成すると、カバー部材内に生ずる臭気成分を温風の対流によってカバー部材内側に接触させることができ、光触媒効果によりカバー部材内の温風及び布団の消臭を行うことができる。尚、酸化チタン溶液の被膜形成は同溶液をカバー部材内側に噴霧することにより行うことができる。
【００１６】
第４に、上記加熱工程を行う前に、上記布団掛部の表面に予め酸化チタン溶液の被膜を形成しておき、上記加熱工程において上記被膜に上記近紫外線照射器具の紫外線を照射することを特徴とする上記第１〜３の何れかに記載の布団等の除菌乾燥方法からなるものである。
【００１７】
上記加熱工程を行う前とは、例えば準備工程をいう。このように構成すると、布団が布団掛部の表面に接触するため、光触媒効果により接触部の除菌消臭を効果的に行うことができる。尚、酸化チタン溶液の被膜形成は同溶液を布団掛部に噴霧することにより行うことができる。
【００１８】
第５に、上記加熱工程と上記除菌消臭工程を同時に行うことを特徴とする上記第１〜４の何れかに記載の布団等の除菌乾燥方法からなるものである。
【００１９】
このように構成すると、布団の乾燥除湿と除菌消臭を同時期に効果的に行うことができる。
【００２０】
第６に、被除菌乾燥物としての上記布団に代えて布団以外の寝具又は衣類としたことを特徴とする上記第１〜５の何れかに記載の布団等の除菌乾燥方法からなるものである。
【００２１】
本発明によると、布団に限らず、布団以外の寝具、衣類においても、効果的に除菌乾燥することができる。
【００２２】
第７に、基台上に、布団を係合することのできる水平杆を具備した布団掛部を固定し、柔軟素材により構成された開口部を有するカバー部材を設け、上記開口部を開閉手段により開閉可能に構成し、上記カバー部材内に上記布団を係合した上記布団掛部を収納した状態で上記開口部を上記開閉手段によって閉鎖することにより、上記カバー部材によって上記布団全体を被覆し得るように構成し、上記カバー部材内に近紫外線照射器具を設置し、上記カバー部材の側面下方位置に吸気口を設けると共に、当該吸気口に装着可能な吸気管を有する温風発生機を設け、上記吸気口から上記カバー部材内に温風を送り込み上記カバー部材内において温風を対流させることにより、上記温風を上記布団の外面及び内面に沿って流通させて上記布団を乾燥し得るように構成し、かつ上記開閉手段によって上記開口部を一部開いて小開口を形成し得るように構成し、上記温風の送風中に上記小開口から上記カバー部材内に酸化チタン溶液を噴霧することにより、上記布団の外面及び内面に上記酸化チタン溶液を付着し得るように構成したものであることを特徴とする布団等の除菌乾燥装置からなるものである。
【００２３】
上記開閉手段は例えばスライドファスナー（７）により構成することができる。上記除菌乾燥装置によると、布団を乾燥除湿することができると共に、布団に酸化チタン溶液を付着させ、これにより酸化チタンの光触媒作用によって布団の除菌消臭を効果的に行うことができる。また、このような装置はその構成が簡単で運搬が可能であるため、例えば依頼元の一般家庭に持ち込んでの布団の乾燥を行うことができる。尚、上記付着は、酸化チタン溶液が布団の表面及び表面より内側の繊維に付着することをいい、例えば上記溶液が繊維に絡み付き定着することをいう。また、この付着は、被乾燥物の表面に酸化チタン溶液の被膜が形成される場合を含む。
【００２４】
第８に、上記カバー部材の内面は酸化チタン溶液の被膜が形成されているものであることを特徴とする上記第７記載の布団等の除菌乾燥装置により構成されるものである。
【００２５】
このように構成すると、カバー部材内に生ずる臭気成分を温風の対流によってカバー部材内側に接触させることができ、光触媒効果によりよりカバー部材内の温風及び布団の消臭を行うことができる。
【００２６】
第９に、上記布団掛部の表面に酸化チタン溶液の被膜が形成されているものであることを特徴とする上記第７又は８記載の布団等の除菌乾燥装置からなるものである。
【００２７】
このように構成すると、布団が布団掛部の表面に接触するため、光触媒効果により接触部の除菌消臭を効果的に行うことができる。
【００２８】
第１０に、上記カバー部材に温風の排気口を設けたものであることを特徴とする上記第７〜９の何れかに記載の布団等の除菌乾燥装置からなるものである。
【００２９】
このように構成すると、カバー部材内の温風の対流を円滑化することができ、効果的に布団の除菌乾燥を行うことができる。
【００３０】
第１１に、被除菌乾燥物としての上記布団に代えて布団以外の寝具又は衣類であることを特徴とする上記第７〜１０の何れかに記載の布団等の除菌乾燥装置からなるものである。
【００３１】
本発明によると、布団に限らず、布団以外の寝具、衣類においても、効果的に除菌乾燥することができる。
【発明の効果】
【００３２】
本発明は、上述のように、加熱工程において布団を乾燥することができ、除菌消臭工程においてカバー部材内に酸化チタン溶液を噴霧することにより布団に酸化チタンを付着させ、これにより酸化チタンの光触媒作用によって布団の除菌消臭を効果的に行うことができる。
【００３３】
また、布団に酸化チタン溶液をコーティングすることができるので、取り出し工程終了後も、布団において光触媒による除菌消臭効果を持続することができる。
【００３４】
また、このような方法に使用する装置はその構成が簡単で運搬が可能であるため、例えば依頼元の一般家庭に持ち込んでの布団の乾燥、除菌、消臭を行うことができる。
【００３５】
また、カバー部材内に酸化チタン溶液の被膜を形成しておくことにより、カバー部材内に生ずる臭気成分を温風の対流によって消臭することができ、これによりカバー部材内の温風及び布団の消臭を効果的に行うことができる。
【００３６】
また、布団掛部にも酸化チタン溶液の被膜を形成しておくことにより、布団が布団掛部の表面に接触することによって、接触部の除菌消臭を効果的に行うことができる。
【００３７】
また、加熱工程と除菌消臭工程を同時に行うことにより、布団の乾燥除湿と除菌消臭を効果的に行うことができる。
【００３８】
また、本発明は、布団に限らず、布団以外の寝具、衣類においても、効果的に除菌乾燥を行うことができる。
【図面の簡単な説明】
【００３９】
【図１】本発明に係る布団等の除菌乾燥装置の斜視図である。
【図２】同上装置の温風発生機の近傍の正面図である。
【図３】同上装置の吸気管近傍の一部断面拡大図である。
【図４】同上装置の温風の流通を示す平面図である。
【図５】同上装置の温風の流通を示す正面図である。
【図６】同上装置の温風の流通を示す側面図である。
【図７】同上装置の温風の流通を示す斜視図である。
【図８】同上装置の酸化チタン溶液の噴霧の状態を示す図である。
【図９】同上装置の酸化チタンの付着を示す断面図であり、（ａ）はカバー部材、（ｂ）は布団掛部、（ｃ）（ｄ）は布団に付着された酸化チタンを示す。
【図１０】同上装置における除去工程の様子を示す説明図である。
【図１１】同上装置の布団掛部に布団をかけた状態を示す斜視図である。
【発明を実施するための形態】
【００４０】
図１は本発明に係る布団等の除菌乾燥装置１の斜視図を示すものであり、同装置１は、被除菌乾燥物としての布団を掛ける一対の水平杆２ａ，２ａ’を有する金属製の布団掛部２と、吸気口３ａと排気口３ｂとを有し、上記布団掛部２に布団Ｆが掛けられた状態で、該布団全体を被覆するカバー部材３と、上記吸気口３ａに吸気管５を接続することにより、上記カバー部材３内に温風を供給するための温風発生機４から構成されている。
【００４１】
上記布団掛部２は、下部に方形板状の基台２ｂを有しており、該基台２ｂの上面四隅に４本の支柱２ｃが立設固定されており、左右方向の各一対の支柱２ｃの上端部に上記一対の水平杆２ａ,２ａ’が一定間隔を以って平行に固定されている。この水平杆２ａ，２ａ’は、後述の吸気管５からの温風の導入方向（矢印Ａ’）に平行となるように設けられており、当該水平杆２ａ，２ａ’に布団Ｆを掛けたとき（係合したとき）、温風が上記布団Ｆの外面Ｆ１，Ｆ２に沿って流れるように構成されている（図４）。尚、以下の説明において、図１における水平杆２ａ側を前方、水平杆２ａ’側を後方、前方から後方を向いた場合の左右を左右方向として説明を行う。
【００４２】
上記各一対の支柱２ｃは補強杆２ｄによって前後方向に接続されており、これら補強杆２ｄによって上記水平杆２ａ，２ａ’は前後方向に比較的広い間隔Ｔを以って平行に設置されている。このように構成することで、上記水平杆２ａ，２ａ’に布団Ｆを二つ折りの状態で掛けたとき（図６、図１１参照）、布団の内面Ｆ３，Ｆ３間に上記間隔Ｔの空間Ｓ１が形成されるため、上記布団Ｆの内面Ｆ３にも充分に温風を流通させることができる。
【００４３】
上記基台２ｂの上面における上記各２本の左右の支柱２ｃの内側部分には、各々ブラックライト（近紫外線照射器具）６，６が上向きに固定されている。このブラックライト６は、後述の光触媒（酸化チタン溶液）を活性化させるためのものであり、例えばピーク波長３５０［ｎｍ］〜３６５[ｎｍ]の紫外線を発生させるライトである。
【００４４】
上記カバー部材３は柔軟性のあるテント生地（例えば機密性の高いポリエステル製の柔軟素材のシート）を使用したものであって、全体として直方体形状になるように立体的に縫製されている。このカバー部材３は、前方側カバー部３’と後方側カバー部３”に二分割して開口部２０を形成し得るスライドファスナー７が設けられている。このファスナー７は、上記カバー部材３の右側面３ｃの下から上方に設けられ、引き続いて上記カバー部材３の上面３ｄを前後に二分するように左右方向に設けられ、引き続いて上記カバー部材３の左側面３ｅを上方から下方にかけて設けられており、内部に布団Ｆを収納する場合は、上記ファスナー７を全開して、カバー部材３を前後に二分割するように開くことができるようになっている（図１前方側カバー部３’の二点鎖線参照）。また、上記ファスナー７は閉鎖時は、上記吸気口３ａから温風を供給したとき、スライドファスナー７の接合部から温風が外部に漏れないように閉鎖状態において密閉性の高いものを用いることが好ましい。また、上記カバー部材３はその下面３ｆは上記基台２ｂの下面を隙間なく覆っている。
【００４５】
さらに上記ファスナー７は図８に示すように対向方向に閉鎖可能な閉鎖用取手７ａ,７ｂを２個設け、対向方向に閉鎖していくことにより上記カバー部材３を閉鎖し得るように構成している。このように構成すると、後述の光触媒溶液１２の噴霧時に噴霧用の小開口７’（図８）を上記右側面３ｃに容易に形成することができる。
【００４６】
上記温風発生機４は、図２に示すように、内部にファン４ａとヒータ４ｂ等の熱源を有し、上記ヒータ４ｂを加熱した状態で上記ファン４ａを駆動することにより、温風を発生するものであり、該温風は上記吸気管５を介してカバー部材３内に供給し得るように構成している（図２矢印Ａ’）。上記温風は上記カバー部材３への吸気口３ａ部分において、約３５℃〜４５℃の温度の温風とすることが好ましい。
【００４７】
上記吸気口３ａには図３に示すように、リング部材８が上記カバー部材３の上記吸気口３ａに固定されており、上記吸気管５の先端のリング状接続部９の外周のリング状突起９ａを上記リング部材８のリング状凹部８ａに係合することにより、上記吸気管５を上記吸気口３ａに嵌合装着できるように構成されている。また上記リング状突起９ａと上記リング状凹部８ａとの接続を離脱して、上記吸気管５を上記吸気口３ａから離脱することができるように構成されている。尚、上記吸気口３ａはより簡易的には、図１に示すように、当該位置に例えば長さ１０ｃｍ程度のスライドファスナー３ａ’にて開閉自在の小開口部を設け、当該ファスナー３ａ’を開いて略円形の小開口部を形成し、該小開口部に上記吸気管５を挿入装着するように構成しても良い。
【００４８】
上記カバー部材３における上記吸気口３ａは、上記カバー部材３の右側面３ｃにおいて、上記ファスナー７の位置より後方側の側面３ｃ’における下方位置（カバー部材の側面下方位置）に設けられている。このように構成することで、上記吸気口３ａからカバー部材３内部に導入された温風は、図４に示すように、カバー部材３内において、その内周を左側から右側、後方側から前方側、左側から右側に一周するように流通し、上記布団掛部２に二つ折りに掛けられた布団Ｆの前後の外面Ｆ１，Ｆ２、側面Ｆ６，Ｆ６に沿って流れると共に（矢印Ａ１）、布団Ｆの対向する内面Ｆ３間にも主に左側から右側に流通させることができる（矢印Ａ２）。このような水平方向の温風の流れは、上記吸気口３ａの水準位置のみならず、カバー部材３内部の下方水準位置から上方水準位置に向けて同様の温風の流れが（対流）生じ（図７参照）、上記布団Ｆの外面Ｆ１，Ｆ２、側面Ｆ６及び内面Ｆ３に十分に温風を当てることができる。
【００４９】
さらに、上記吸気口３ａはカバー部材３の下側に設けられているので、温風はカバー部材３内において上昇し（図５参照）、上面３ｄ内側から左方向に流通し、左側面３ｅ内側にて下方に流通し、さらに下面３ｆ内側を左側から右側に流通させることができる（矢印Ａ３）。このように上記温風は図５に示すようにカバー部材３内の内面を上下に１周するような上下方向の対流をも生じ、これにより、上記布団Ｆの上面Ｆ４，下面Ｆ５、側面Ｆ６に沿って温風を流通させ、上記布団Ｆの上面Ｆ４、下面Ｆ５、及び側面Ｆ６に充分に上記温風を当てることができる。
【００５０】
さらに、上記吸気口３ａからカバー部材３内に流入した温風は、図６に示すように、後方側カバー部３”の内側を上昇し、後方から前方側に流通し、前方側カバー部３’を上方から下方に流通し、下面３ｆを前方から後方に流通するように、上下方向の対流をも生じる（矢印Ａ４参照）。
【００５１】
このように、上記カバー部材３内における温風は、図４に示す主に水平方向の対流（矢印Ａ１，Ａ２）と図５、図６に示す主に上下方向の対流（矢印Ａ３，Ａ４）を生じ、これらの温風の流れによって、布団Ｆの全体（外面Ｆ１，Ｆ２、内面Ｆ３、上面Ｆ４、下面Ｆ５、側面Ｆ６）に充分に温風を当てることができるように構成されている。
【００５２】
そして、上記温風を上記カバー部材３内に送風したとき、カバー部材３が温風の圧力により外側に膨れた状態となるが、このとき布団Ｆの内面Ｆ３の空間Ｓ１に通路Ｒ１が形成され、布団Ｆの前後外面Ｆ１，Ｆ２と上記カバー部材３の前後方側カバー部３’，３”の内面との間に各々空間Ｓ２，Ｓ２が生じ、当該部分に温風の通路Ｒ２，Ｒ２が形成され、さらに上記カバー部材３が膨れた状態においては、上記布団Ｆの両側面Ｆ６，Ｆ６とカバー部材３の左右側面３ｅ，３ｃの内側との間にも各々空間Ｓ３，Ｓ３が生じ、当該空間Ｓ３に温風の通路Ｒ３が形成され、上記布団Ｆの上面Ｆ４と上記カバー部材３の上面３ｄの内側との間にも空間Ｓ４が生じ、当該部分にも温風の通路Ｒ４が形成され、上記布団Ｆの下面Ｆ５と上記カバー部材３の下面３ｆ内面との間にも空間Ｓ５が生じ、当該部分にも温風の通路Ｒ５が形成される。このように、カバー部材３が温風の送風圧力により外側に膨れた状態において、上記各通路Ｒ１〜Ｒ５が形成されるため、これらの通路に温風が十分に流通することにより、布団Ｆを十分に乾燥させることができる。
【００５３】
さらに、後述のように、加熱工程において、光触媒としての酸化チタン溶液をカバー部材３内に噴霧するが、カバー部材３内に噴霧された光触媒の溶液は上記温風の対流により上記温風と共に上記カバー部材３内を対流するため、上記光触媒は上記布団Ｆの全体（外面Ｆ１，Ｆ２、内面Ｆ３、上面Ｆ４、下面Ｆ５、側面Ｆ６）に十分に接触照射され、上記布団Ｆの全体を上記光触媒にてコーティングすることができる。ここで、コーティングとは布団Ｆに酸化チタン溶液を付着させることをいうが、この付着は、布団Ｆ等の繊維質の素材の場合は、酸化チタン溶液が布団Ｆの表面及び表面より内側の繊維に付着することをいい、例えば上記溶液を繊維に絡み付かせ、定着させることをいう。また、例えば上記カバー部材３のような樹脂製シート表面、或いは上記布団掛部２のような金属製の表面において、酸化チタン溶液を噴霧した場合は、これらの表面に酸化チタン溶液の薄い被膜が形成されるが、上記付着は、このような噴霧対象物の表面に酸化チタン溶液の被膜が形成される場合を含む概念である。
【００５４】
上記排気口３ｂは上記カバー部材３内の温風の一部をカバー部材３外部に逃がすことにより、上記吸気口３ａから温風発生機４方向への温風の逆流を防止し、温風の対流を円滑化するものである。この排気口３ｂは、長さ約１０ｃｍのスライドファスナー１０（図１）により開閉自在に形成されており、加熱工程において上記ファスナー１０を開いて排気口３ｂとして用いるものである。尚、この排気口３ｂは、上記吸気口３ａの対角線上の上面３ｄに設けているが、上記吸気口３ａの対角線上の同一水準位置である左側面３ｅ下側に設けても良い（図１参照）。
【００５５】
上記基台２ｂの上記カバー部材３の下面には移動用のキャスター１３を設けることが好ましい（図２参照）。
【００５６】
本発明の布団等の除菌乾燥装置は上述のように構成されているものであり、次に、当該装置を使用しての除菌乾燥方法について説明する。
【００５７】
まず、以下に説明する除菌乾燥方法の「前工程」として、除去工程にて使用する振動型掃除機１１の表面及び内側及び内部のフィルター部、及び、温風発生機４に設置されているフィルター部に光触媒溶液としての酸化チタン溶液を噴霧して、酸化チタン溶液によるコーティングを施しておく。
【００５８】
この酸化チタン溶液としては、上記ブラックライト６による紫外線のみならず、日光に含まれる紫外線、室内の蛍光灯の灯りによっても光触媒機能（除菌消臭等）を発揮し得るもの（後述の市販の酸化チタン溶液）を使用することで、以後の掃除等の作業において、清潔な状態での作業が可能であり、上記掃除機１１からの排気も上記光触媒によりコーティングしたフィルターを通すことにより脱臭、抗菌した排気となり、作業環境を悪化させることなく作業を行うことができる。
【００５９】
（１）除去工程
まず、図１０に示すように、布団Ｆを床面に広げた状態で該布団の表裏面の塵・埃を振動型掃除機１１にて吸引する（除去工程）。このとき、振動型掃除機１１にて布団の表面及び裏面を叩いて、布団内部の埃、粉末になったダニの死骸等を叩き出し、叩き出した塵・埃、ダニの死骸等を掃除機１１にて吸引する。この場合に使用する振動型掃除機１１は、先端の吸引部において、布団表面を叩きながら吸引が可能な振動型の掃除機を使用する。
【００６０】
（２）準備工程
次に、上述の除菌乾燥装置を用意し、カバー部材３のファスナー７を全部開いて開口部２０を形成した状態で、布団掛部２の水平杆２ａ，２ａ’に布団Ｆを二つ折の状態で掛ける（係合する）（図６、図１１参照）。このとき、布団Ｆの前後の下面Ｆ５が略同じ位置となるように上記水平杆２ａ，２ａ’に掛ける。この状態において、上記布団掛部２の一対の水平杆２ａ，２ａ’は前後方向に所定の間隔Ｔを有しているので、図６に示すように布団Ｆの前後内面Ｆ３，Ｆ３の内側に所定の間隔Ｔの空間Ｓ１が生じ、十分な広さの温風の通路Ｒ１が形成される。
【００６１】
次に、上記カバー部材３で上記布団Ｆを被覆し、ファスナー７を閉鎖して上記布団Ｆを当該カバー部材３で完全に閉鎖する。このとき、図１に示すように、２つの取手７ａ，７ｂが上記給気口３ａ側の右側面３ｃに位置するようにする。
【００６２】
さらに、温風発生機４の吸気管５のリング状接続部９を上記カバー部材３の吸気口３ａのリング部材８に接続し、かつ、排気口３ｂを開口する。
【００６３】
この準備工程において、上記カバー部材３の内側（内面）全面と上記布団掛部２の全体に光触媒としての酸化チタン溶液１２を噴霧して、上記カバー部材３の内側表面と上記布団掛部２の表面に酸化チタン溶液の被膜２１（光触媒被膜）を形成しておく（図９（ａ）（ｂ）参照）。この光触媒の被膜２１は、次段の加熱工程において、ブラックライト６を点灯したとき、当該ブラックライト６の紫外線により活性化され、カバー部材３内を対流する温風を脱臭除菌する機能を発揮すると共に、布団Ｆがカバー部材３内面（内側）又は布団掛部２の光触媒被膜２１に接触することにより、当該接触部を抗菌脱臭する機能を奏するものである。
【００６４】
上記酸化チタン溶液は、上記樹脂製のテント生地からなる上記カバー部材３或いは金属性の上記布団掛部２に噴霧すると、上記カバー部材３或いは上記布団掛部２の表面に、図９（ａ）（ｂ）に示すような酸化チタン溶液の薄い被膜２１が形成されコーティングすることができるが、例えば、噴霧される対象物が繊維状のもの（例えばキャンバス地等の布）であれば、酸化チタン溶液が表面の繊維に絡みつき、定着することでコーティングを行うことができる。
【００６５】
上記光触媒としての酸化チタン溶液は、例えば酸化チタンと水分からなる市販の酸化チタン溶液を使用することができる。尚、この酸化チタン溶液としては、近紫外線照射器具から照射されるピーク波長が３５０［ｎｍ］〜３６５［ｎｍ］の紫外線のみならず、日光に含まれる紫外線或いは室内の蛍光灯の灯りでも除菌消臭効果を発揮し得る光触媒溶液を使用することが好ましい。尚、このような光触媒溶液は酸化チタン水溶液として市販されている。このような酸化チタン溶液を使用すると、上記ブラックライト６が照射される部分については光触媒による除菌消臭効果が得られるが、除菌消臭工程終了後の上記布団Ｆは、上記酸化チタン溶液にてその全体がコーティングされているので、日常的な使用環境においても、日光の紫外線や室内蛍光灯の照射により除菌、消臭、抗菌の効果が持続的に得られる。
【００６６】
（３）加熱工程
次に、温風発生機４を駆動して当該温風発生機４から上記吸気管５を介して上記カバー部材３内に温風（３５℃〜４５℃）を送風する。即ち、上記温風発生機４から上記吸気管５を介して上記カバー部材３内に温風を送り込み、上記カバー部材３内において温風を対流させることにより上記布団Ｆを乾燥させる。上記温風がカバー部材３内に流入すると、カバー部材３が温風により膨れた状態となり、このとき布団Ｆの周囲に温風の通路Ｒ２〜Ｒ５が形成され、布団Ｆの内面側にも通路Ｒ１が形成され、上記温風は上記各通路Ｒ１〜Ｒ５を円滑に流通して上記布団Ｆを乾燥させ、かつ除湿することができる（図４〜図６）。
【００６７】
即ち、上記温風は上記矢印Ａ１に沿って主に水平方向に流通し、当該水平方向の流通がカバー部材３内部の下方から上方に向けて行われ、温風が上記布団Ｆの外面Ｆ１，Ｆ２及び内面Ｆ３に沿って充分に流通することにより、布団Ｆ全体を充分に乾燥除湿させることができる。同時に上記温風は矢印Ａ３、Ａ４方向に沿って主に上下方向に流通し、当該上下方向の流通がカバー部材３の前後方向に沿って行われることにより、温風が上記布団Ｆの上面Ｆ４、側面Ｆ６、下面Ｆ５に沿って充分に流通することにより、布団Ｆ全体を充分に乾燥除湿させることができる。
【００６８】
このとき、上記カバー部材３内に導入された温風の一部は排気口３ｂから排気され、これによりカバー部材３内の圧力の上昇が制限され、円滑に温風の流入、対流を行うことができる。
【００６９】
かかる加熱工程は、約３分間から約５分間行うが、次に説明する「除菌消臭工程」を同時に行う場合は「加熱工程」と「除菌消臭工程」を同様に約３分間から約５分間行い、順次行う場合は、「加熱工程」を約３分間から約５分間行って、その後、次の「除菌消臭工程」を約３分間から約５分間行うように構成しても良い。
【００７０】
また、かかる加熱工程では、ブラックライト６，６を点灯させる。そうすると、上記ブラックライト６，６が上記カバー部材３内面及び布団掛部２の表面に形成された酸化チタン被膜２１に照射され、当該表面にてカバー部材３内面及び布団掛部２の表面において酸化作用が行われ、カバー部材３内面及び布団掛部２表面の抗菌・除菌を行うと共に、当該内面及び表面に付着した汚れを分解することができる。
【００７１】
さらに、上記カバー部材３内の温風が対流することにより、温風が上記カバー部材３内面の酸化チタン被膜２１、上記布団掛部２の表面の酸化チタン被膜２１に接触することにより、当該温風の除菌が行われ、同温風の臭いが除去され、温風自体の除菌脱臭も同時に行うことができる。また、温風の対流によって布団Ｆから発生する臭気成分も、上記カバー部材３の内面の酸化チタン被膜に接触することにより、上記酸化チタンの酸化作用によって分解され、布団Ｆから発生する臭気成分の消臭脱臭も行うことができる。
【００７２】
ところで、上記カバー部材３内に導入される温風は、酸化チタン溶液にてコーティングされた上記温風発生機４のフィルター部を通過するので、当該フィルター部を通過することにより、当該温風自体が除菌消臭され、従って、上記温風は除菌消臭された状態で上記吸気口３ａからカバー部材３内に導入される。
【００７３】
加えて、上記布団Ｆはその内面Ｆ３が上記布団掛部２の水平杆２ａ,２ａ’、及び支柱２ｃに接触した状態となり、また、上記布団Ｆの大きさ等によっては、布団Ｆの外面Ｆ１、Ｆ２、上面Ｆ４、側面Ｆ６等が上記カバー部材３の内面に接触する場合が起こり得るが、この場合においても、上記カバー部材３の内面の酸化チタン被膜２１又は上記布団掛部２の酸化チタン被膜２１が上記布団Ｆの各面に接触することで、布団Ｆの当該接触部においても酸化チタンが付着することにより、当該接触部において上記抗菌・除菌及び脱臭を行うことができる。
【００７４】
（４）除菌消臭工程
上記加熱工程の途中において、上記カバー部材３内に光触媒としての酸化チタン溶液を噴霧してカバー部材３内において対流する温風と共に上記酸化チタン溶液を対流させ、上記カバー部材３内に上記布団掛部２の下部に設置されたブラックライト６を照射することにより除菌・消臭を行う。
【００７５】
上記加熱工程を開始した後、ブラックライト６，６を点灯し（既に点灯している場合は点灯を継続し）、カバー部材３が温風の送風圧にて膨らんだ状態において、カバー部材６の右側面３ｃにおいてファスナー７を上下に少し開いて小開口７’を形成し（図８参照）、操作者が酸化チタン溶液のスプレー容器１４を手で持って、当該小開口７’から上記スプレー容器１４をカバー部材３内に入れ、その状態でカバー部材３内において酸化チタン溶液（光触媒溶液）１２を所定時間噴霧し、その後、上記ファスナー７を以って上記小開口７’を閉鎖する。すると、霧状の酸化チタン溶液が上記温風の流れに沿ってカバー部材３内部を対流し、上記布団Ｆの外面Ｆ１，Ｆ２及び内面Ｆ３等の全体に照射され、布団Ｆ全体を酸化チタン溶液でコーティングすることができる。
【００７６】
上記酸化チタン溶液の噴霧は、上記吸気口３ａからカバー部材３内への温風の送風方向（矢印Ａ’方向）に沿って噴射することが好ましい。具体的には、上記カバー部材３の右側面３ｃにおいて、上記吸気口３ａと略平行な隣接位置の上記ファスナー７に小開口７’を開口形成し（図１の仮想線の小開口７’参照）、当該小開口７’からカバー部材３内部に上記酸化チタン溶液を噴霧する。即ち、上記小開口７’は上記吸気口３ａに隣接して形成し、当該小開口７’から上記カバー部材３内に上記酸化チタン溶液を噴霧する。このようにすると、吸気口３ａからカバー部材３内に導入されている温風に乗って効果的にカバー部材３内において酸化チタン溶液を対流させることができ、より効果的に布団Ｆに酸化チタン溶液を付着（コーティング）することができる。尚、上記スプレー容器１４を持って該容器１４全体をカバー部材３内に入れた状態で、上記矢印Ａ’方向に沿って噴霧しても良い。このように酸化チタン溶液は温風の導入方向に沿って噴霧することが好ましい。
【００７７】
上記カバー部材３内に噴霧された酸化チタン溶液は、図４に示す矢印Ａ１，Ａ２に沿ってカバー部材３内を温風と共に流通し、さらに図５，６に示す矢印Ａ３，Ａ４に沿って温風と共に流通するので、当該霧状の酸化チタン溶液は、上記布団Ｆの外面Ｆ１,Ｆ２、内面Ｆ３、上面Ｆ４、下面Ｆ５、側面Ｆ６の全体に噴霧照射され、その結果、布団Ｆの内外面全体に酸化チタン溶液が吸着、定着することにより酸化チタンが布団Ｆの繊維に絡み付き定着し、上記布団Ｆ全体を酸化チタン溶液にてコーティングすることができる。即ち、上記噴霧された酸化チタン溶液１２は、図９（ｃ）又は（ｄ）に示すように、上記布団Ｆの表面の繊維に絡み付き、及びその表面近傍範囲Ｈの内部に浸透して繊維に絡みつき、かつ定着する。このように酸化チタン溶液１２を布団Ｆの繊維に絡め定着させることにより、布団Ｆの略全体を酸化チタン溶液にてコーティング（付着）することができる。
【００７８】
上記カバー部材３内においては上記ブラックライト６，６が点灯しているので、上記布団Ｆに付着した酸化チタン溶液に対して上記ブラックライト６，６の特定波長の紫外線が作用して、上記酸化チタン溶液を活性化し、酸化チタンの酸化作用により布団Ｆ表裏面全体において抗菌除菌作用を発揮し、これにより布団Ｆの内外面全体の抗菌除菌を行い、酸化作用によって汚れ成分、臭気成分を分解し、布団Ｆ全体の消臭・脱臭を行うことができる。
【００７９】
かかる除菌消臭工程は、上述のように、上記加熱工程と同時に行うこともできるし、加熱工程の後、除菌消臭工程を行うことができる。
【００８０】
この除菌消臭工程が終了すると、上記布団Ｆの略全体の表面に酸化チタン溶液が付着し、布団Ｆの全体が酸化チタン溶液にてコーティングされた状態となる。即ち、上記布団Ｆの表面の繊維及びその表面近傍の内部繊維に酸化チタン溶液が絡みつき、定着することになるため（図９（ｃ）（ｄ）参照）、上記光触媒の作用により、除菌され、消臭された状態になると共に、コーティングされた光触媒により抗菌消臭作用を持続的に発揮することになる。
【００８１】
（５）取り出し工程
上記除菌消臭工程が終了したら、上記温風発生機４を停止し、上記ブラックライト６，６を消灯し、上記カバー部材３のファスナー７を開いて、該カバー部材３内から上記布団Ｆを取り出す。
【００８２】
上記布団Ｆを上記カバー部材３から取り出した後においても、上述のように布団Ｆは酸化チタン溶液が付着して同溶液によりその全体がコーティングされた状態となっており、上記コーティングに使用した光触媒溶液は上述のように日光に含まれる紫外線或いは室内の蛍光灯の灯りでも除菌消臭効果を発揮し得るものであるため、除菌消臭効果を維持することができる。
【００８３】
以上のより、布団の乾燥除菌方法が終了する。
【００８４】
上述のように、本発明は、加熱工程において布団Ｆを乾燥除湿することができ、除菌消臭工程においてカバー部材３内に酸化チタン溶液を噴霧することにより布団繊維に酸化チタン溶液を絡め定着させ、これによりコーティングされた酸化チタンの光触媒作用によって布団Ｆの除菌消臭を効果的に行うことができる。
【００８５】
また、布団Ｆに酸化チタン溶液をコーティングすることができるので、取り出し工程終了後も、布団Ｆにおいて光触媒による除菌消臭効果を持続することができる。
【００８６】
また、このような方法に使用する装置はその構成が簡単で運搬が可能であるため、例えば依頼元の一般家庭に当該装置を持ち込んでの布団Ｆの乾燥を行うことができる。
【００８７】
また、カバー部材３内に酸化チタン溶液による被膜を形成しておくことにより、カバー部材３内に生ずる臭気成分を温風の対流によって上記酸化チタン被膜に接触させ、これにより上記温風の消臭をすることができ、カバー部材内の温風及び布団の消臭を効果的に行うことができる。
【００８８】
また、布団掛部２にも酸化チタン被膜を形成しておくことにより、布団Ｆが布団掛部２の表面に接触することにより、接触部の除菌消臭を効果的に行うことができる。
【００８９】
また、加熱工程と除菌消臭工程を同時に行うことにより、布団Ｆの乾燥除湿と除菌消臭を効果的に行うことができる。
【００９０】
また、本発明は、布団に限らず、布団以外の寝具、衣類においても、効果的に除菌乾燥を行うことができる。尚、例えば、布団以外の寝具が枕であれば、該枕を布団掛部２の水平杆２ａ，２ａ’上に載置し、衣類であればハンガーに掛けた衣類を上記水平杆２ａ，２ａ’に係合し、かかる状態にて上記各工程を行えば良い。
【産業上の利用可能性】
【００９１】
本発明に係る布団等の除菌乾燥方法及びそれに使用する除菌乾燥装置は、当該装置一式を容易に持ち運び可能であるため、当該除菌乾燥装置を一般住宅に持ち込んでの現場での布団等の除菌乾燥作業のみならず、ホテル、旅館、病院、老人ホーム等、各種の施設にて利用することができる。また、被除菌乾燥物は布団に限らず、布団以外の寝具、その他の衣類の除菌乾燥にも適用が可能である。
【符号の説明】
【００９２】
１            布団等の除菌乾燥装置
２            布団掛部
２ａ，２ａ’  水平杆
２ｂ          基台
３            カバー部材
３ａ          吸気口
３ｂ          排気口
４            温風発生機
５            吸気管
６            ブラックライト（近紫外線照射器具）
７            スライドファスナー（開閉手段）
７’          小開口
１２          酸化チタン溶液
２０          開口部
２１          酸化チタン溶液の被膜
Ｆ            布団
Ｆ１，Ｆ２    外面
Ｆ３          内面
【図１】
2011250850.tif 000003
【図２】
2011250850.tif 000004
【図３】
2011250850.tif 000005
【図４】
2011250850.tif 000006
【図５】
2011250850.tif 000007
【図６】
2011250850.tif 000008
【図７】
2011250850.tif 000009
【図８】
2011250850.tif 000010
【図９】
2011250850.tif 000011
【図１０】
2011250850.tif 000012
【図１１】
2011250850.tif 000013